(57)【特許請求の範囲】
【請求項１】
ベッドの左右いずれか一方に設置されて物品を収納する床頭収納部を備える床頭装置と、少なくとも前面及び前記ベッドに相対する側の側面が開口されて物品を収納する収納箱を有してキャスタにより床面上を移動自在となっているワゴン装置と、からなる床頭ユニットであって、
前記床頭装置は、前記床頭収納部の下部に設けられ、少なくとも前面から前記ベッドに相対する側の側面に渡って連続して開口し、その内部に前記ワゴン装置の少なくとも一部を設置可能とした空間部を有する基台部を備え、
前記基台部は、床面に設置されて前後方向に延びる左右一対の基部フレームを有し、
前記基部フレームが前記ワゴン装置のキャスタの乗り上げを阻止する高さ寸法を有してワゴン装置の移動を阻止するワゴン移動阻止手段を構成することを特徴とする床頭ユニット。
【請求項２】
前記基台部は、前記基部フレームの後端から上方に立設される立設フレームを有していることを特徴とする請求項１に記載の床頭ユニット。
【請求項３】
前記立設フレームが前記ワゴン装置の側面に接触する前後寸法を有していることを特徴とする請求項２に記載の床頭ユニット。
【請求項４】
前記基部フレームには、前記ワゴン装置のキャスタが後方に乗り越えることで、該キャスタの前方向の移動を阻止するキャスタ移動阻止部材が取り付けられていることを特徴とする請求項２または３に記載の床頭ユニット。
【請求項５】
前記床頭収納部の下部には、前記ワゴン装置の上面に近接する押え部材が配置されることを特徴とする請求項４に記載の床頭ユニット。
【請求項６】
前記立設フレームの上部に前記床頭収納部が設けられ、前記立設フレーム及び前記床頭収納部の各背面が壁面に接触されるように面一になっているとともに、該床頭収納部の前端部が前記基部フレームの前後方向の中心位置よりも後方寄りになっていることを特徴とする請求項２ないし５のいずれかに記載の床頭ユニット。
【発明の詳細な説明】
【技術分野】
【０００１】
本発明は、ベッドの左右いずれか一方に設置されて物品を収納する床頭収納部を備える床頭装置に関する。
【背景技術】
【０００２】
従来、病院等のベッドサイドに設置して、患者などが日常使う物品等を収納したり、テレビ等を設置したりするための床頭キャビネット（ワゴン装置）があり、このキャビネットは、少なくとも前方から物品の出し入れを可能にした箱状筐体を備えるとともに、ベッド側の側面が開口された収納箱を備えており、さらにキャスタを備えているため任意の場所に移動して使用することができ、便利である（例えば、特許文献１参照）。
【０００３】
また、単一の支柱のみで棚板等を安定して確実に支持することができる病室用床頭装置があり、背の高い収納棚を構成できるため、収納量を増やすことができ、使い勝手がよい（例えば、特許文献２参照）。
【先行技術文献】
【特許文献】
【０００４】
【特許文献１】特開２００８−１１３９１６号公報
【特許文献２】特開２００７−３７７７３号公報
【発明の概要】
【発明が解決しようとする課題】
【０００５】
病室等において床頭装置を設置して使用する場合に、その収納量を増やすために前述の床頭キャビネット（ワゴン装置）や床頭装置などの双方を設置したいという使用者側の要望がある。しかしながら、病室等のベッドサイドの設置スペースは限られており、複数の収納用の装置を設置することが難しくなっており、かつ複数の装置を並設して設置した場合には、地震の発生時に互いの装置の収納部が接触して収納された物品が破損してしまう虞がある。
【０００６】
本発明は、このような問題点に着目してなされたもので、複数の収納用の装置を設置する際に、利便性を維持しつつ、設置場所の省スペース化を図ることができ、かつ地震の発生時に互いの装置の収納部が接触して収納された物品が破損してしまうことを防止できる床頭ユニットを提供することを目的とする。
【課題を解決するための手段】
【０００７】
前記課題を解決するために、本発明の床頭ユニットは、
ベッドの左右いずれか一方に設置されて物品を収納する床頭収納部を備える床頭装置と、少なくとも前面及び前記ベッドに相対する側の側面が開口されて物品を収納する収納箱を有してキャスタにより床面上を移動自在となっているワゴン装置と、からなる床頭ユニットであって、
前記床頭装置は、前記床頭収納部の下部に設けられ、少なくとも前面から前記ベッドに相対する側の側面に渡って連続して開口し、その内部に前記ワゴン装置の少なくとも一部を設置可能とした空間部を有する基台部を備え、
前記基台部は、床面に設置されて前後方向に延びる左右一対の基部フレームを有し、
前記基部フレームが前記ワゴン装置のキャスタの乗り上げを阻止する高さ寸法を有してワゴン装置の移動を阻止するワゴン移動阻止手段を構成することを特徴としている。
この特徴によれば、ワゴン装置と床頭装置の双方を設置する際に、ワゴン装置を床頭装置の基台部の前面側の開口から空間部内に自在に出し入れでき、かつ床頭装置の基台部の側面の開口からワゴン装置の収納箱の側面にアクセス可能な状態とすることができるようになり、その利便性を維持しつつ、ワゴン装置の収納箱と床頭装置の床頭収納部とが上下に配置されるため、設置場所の省スペース化を図ることができ、かつ地震の発生時にワゴン装置の収納箱と床頭装置の床頭収納部とが接触して互いの装置に収納された物品が破損してしまうことを防止できる。
【０００９】
本発明の床頭ユニットは、
前記基台部は、前記基部フレームの後端から上方に立設される立設フレームを有していることを特徴としている。
この特徴によれば、基台部が複数のフレームにより構成されるため、ワゴン装置の前後及び左右が開口されるようになり、ワゴン装置の利便性を維持しつつ、ワゴン装置を基台部の前面側の開口から空間部内に自在に出し入れでき、かつ基部フレームによりワゴン装置の左右方向への移動を阻止できるようになり、地震の発生時の揺れによりワゴン装置が左右方向に移動してベッドや壁面等に接触して破損することを防止できる。
【００１０】
本発明の床頭ユニットは、
前記立設フレームが前記ワゴン装置の側面に接触する前後寸法を有していることを特徴としている。
この特徴によれば、基台部が複数のフレームにより構成されるため、ワゴン装置の前後及び左右が開口されるようになり、ワゴン装置の利便性を維持しつつ、ワゴン装置を基台部の前面側の開口から空間部内に自在に出し入れでき、かつ立設フレームによりワゴン装置の左右方向への移動を阻止できるようになり、地震の発生時の揺れによりワゴン装置が左右方向に移動してベッドや壁面等に接触して破損することを防止できる。
【００１１】
本発明の床頭ユニットは、
前記基部フレームには、前記ワゴン装置のキャスタが後方に乗り越えることで、該キャスタの前方向の移動を阻止するキャスタ移動阻止部材が取り付けられていることを特徴としている。
この特徴によれば、基台部が複数のフレームにより構成されるため、ワゴン装置の前後及び左右が開口されるようになり、ワゴン装置の利便性を維持しつつ、ワゴン装置を基台部の前面側の開口から空間部内に自在に出し入れでき、かつキャスタ移動阻止部材によりワゴン装置の前方向への移動を阻止できるようになり、地震の発生時の揺れによりワゴン装置が基台部から前方向に移動してしまうことを防止できる。
【００１２】
本発明の床頭ユニットは、
前記床頭収納部の下部には、前記ワゴン装置の上面に近接する押え部材が配置されることを特徴としている。
この特徴によれば、地震が発生した際に、押え部材によりワゴン装置の上面が押えられ、ワゴン装置が前方に向かって倒れることを防止することができる。
【００１３】
本発明の床頭ユニットは、
前記立設フレームの上部に前記床頭収納部が設けられ、前記立設フレーム及び前記床頭収納部の各背面が壁面に接触されるように面一になっているとともに、該床頭収納部の前端部が前記基部フレームの前後方向の中心位置よりも後方寄りになっていることを特徴としている。
この特徴によれば、地震が発生した際に、基台部及び床頭収納部の背面が壁面に接触されて背面側に倒れることを防止できるとともに、床頭収納部の前端部が基部フレームの前後方向の中心位置よりも後方寄りになっていることで、床頭収納部の重心位置が基部フレームの後方寄りになり、床頭収納部が正面側に倒れることを防止でき、かつワゴン装置は、基部フレームの間に配置された状態であっても、その上面の少なくとも一部は、床頭収納部よりも前方に突出されるようになり、この突出されたワゴン装置の上面を、電子機器やテレビ等の物品を配置する物品配置面として使用でき、利便性が向上される。
【図面の簡単な説明】
【００１４】
【図１】実施例１における床頭ユニットを示す斜視図である。
【図２】床頭装置を示す斜視図である。
【図３】床頭装置を示す正面図である。
【図４】床頭装置を示す側面図である。
【図５】ワゴン装置を示す斜視図である。
【図６】可動収納箱を引き出した状態のワゴン装置を示す斜視図である。
【図７】ワゴン装置を示す分解斜視図である。
【図８】ワゴン装置を示す縦断正面図である。
【図９】実施例２における床頭装置を示す斜視図である。
【図１０】床頭装置を示す側面図である。
【発明を実施するための形態】
【００１５】
本発明に係る床頭ユニットを実施するための形態を実施例に基づいて以下に説明する。
【実施例１】
【００１６】
実施例１に係る床頭ユニットにつき、図１から図８を参照して説明する。以下、図１及び図２の紙面左下側を床頭ユニットの正面側（前方側）とし、図４の紙面左側を床頭ユニットの正面側（前方側）とし、図５から図７の紙面左下側をワゴン装置の正面側（前方側）として説明する。
【００１７】
図１の符号１は、本発明の適用された床頭ユニットである。この床頭ユニット１は、病室の壁面に設置される床頭装置２と、床面を移動自在となっているワゴン装置３と、により構成されている。なお、床頭ユニット１は、病院等の室内に設置されるベッド４の左右いずれか一方の側方位置に設置して、患者などが日常使う物品等を収納したり、電子機器やテレビ等の物品５を設置したりするために用いられる。
【００１８】
図２に示すように、床頭装置２は、上部に物品を収納する床頭収納部６を有し、この床頭収納部６の内部には、多数の棚板７が配置されている（図４参照）。そして、床頭収納部６の前面は、ラッチ付きの両開き式の観音扉８が設けられ、地震が発生したときでも不用意に観音扉８が開かないようになっている。
【００１９】
床頭収納部６の下部には、前面からベッド４に相対する左右の両側面に渡って連続して開口し、その内部にワゴン装置３を設置可能とした空間部９を有する基台部１０が設けられている。基台部１０は、床面に設置されて前後方向に延びる左右一対の基部フレーム１１と、各基部フレーム１１の後端から上方に立設される立設フレーム１２と、基部フレーム１１同士を連結する連結フレーム１３と、立設フレーム１２を補強する補強フレーム１４と、立設フレーム１２の上端に設けられて床頭収納部６を載置する載置台１５と、で形成されている。
【００２０】
図３に示すように、基台部１０を構成する複数のフレーム１１，１２により囲まれた空間が、ワゴン装置３を設置するための空間部９となっている。基台部１０が複数のフレーム１１，１２により構成されるため、ワゴン装置３の前後及び左右が開口されるようになり、特に、基台部１０の背面側の開口によりワゴン装置３から延びる電源ケーブル等を壁面に設置されたコンセントに接続できるようになる。
【００２１】
図４に示すように、基部フレーム１１と立設フレームとが側面視で略Ｌ字形状をなすように連結されており、基台部１０を床面から壁面に沿って設置できる。そして、立設フレーム１２の上部の載置台１５に、床頭収納部６の底面が連結されている。また、立設フレーム１２及び床頭収納部６の各背面が壁面に接触されるように面一になっている。さらに、床頭収納部６の前端部は、基部フレームの前後方向の中心位置よりも後方寄りになっている。
【００２２】
このようにすることで、地震が発生した際に、基台部１０及び床頭収納部６の背面が壁面に接触されて背面側に倒れることを防止できるとともに、床頭収納部６の前端部が基部フレーム１１の前後方向の中心位置よりも後方寄りになっていることで、床頭収納部６の重心位置が基部フレーム１１の後方寄りになり、床頭収納部６が正面側に倒れることを防止でき、かつワゴン装置３は、基部フレーム１１の間に配置された状態であっても、その上面の少なくとも一部は、床頭収納部６よりも前方に突出されるようになり、この突出されたワゴン装置３の上面を、電子機器やテレビ等の物品５を配置する物品配置面として使用でき、利便性が向上される。
【００２３】
図５に示すように、ワゴン装置３は、前面から物品の出し入れを行う主収納箱１６を構成する本体部１７と、この本体部１７の側方に取り付けられる可動部１８と、により構成される。なお、可動部１８は、本体部１７の左右両側面のうち、ベッド４に相対する側の側面に取り付けられる。さらに、本体部１７及び可動部１８のそれぞれの底面には、床面上を走行するためのキャスタ１９が取り付けられている。
【００２４】
図６に示すように、ワゴン装置３の可動部１８は、側面から雑誌等の物品２０の出し入れを行う副収納箱２１を構成している（図８参照）。可動部１８は、本体部１７に対して前後方向に相対移動できるようになっており、可動部１８を本体部１７から前方向に引き出して使用することができる。そのため、ワゴン装置３自体を移動させなくても、可動部１８の副収納箱２１の位置をベッド４に居る患者が取り扱い易い位置に適宜移動させることができる。
【００２５】
図７及び図８に示すように、ワゴン装置３の本体部１７は、前面が開口された主収納箱１６を有しており、この主収納箱１６の前面には、化粧扉２２や化粧板２３が取り付けられる。さらに、主収納箱１６の上部には、引き出し２４を有する天板２５などが配置される。なお、主収納箱１６内部を、上段と下段に仕切る仕切板２６が設けられている。
【００２６】
この仕切板２６の上部の収納空間には、電子機器やテレビ等から延びる電源ケーブルが接続される課金機２７等を配置できるようになっている。さらに、仕切板２６の下部の収納空間には、患者が使う物品や冷蔵庫等を設置できる。なお、この主収納箱１６に冷蔵庫等を設置する際には、化粧扉２２を取り付けなくてもよい。また、主収納箱１６の背面板２８には、開口部２９が形成されており、冷蔵庫や課金機２７等から延びる電源ケーブルを外部に導出することができる。
【００２７】
ワゴン装置３の可動部１８は、副収納箱２１から本体部１７に向かって延設されたテーブル３０が固定されている。このテーブル３０及び副収納箱２１により可動部１８は正面視で略Ｔ字形状をなしている。さらに、ワゴン装置３の本体部１７において可動部１８が取り付けられる側面板３１には、切欠部３２が形成されている。可動部１８のテーブル３０は、本体部１７の切欠部３２から本体部１７の内部に配置されるとともに、テーブル３０の縁辺が取り付けられるレール部材３３が本体部１７内に設けられている。また、副収納箱２１の下部が取り付けられるレール部材３４が本体部１７の側面板３１に設けられている。
【００２８】
図６に示すように、可動部１８を本体部１７から前方向に引き出したときに、可動部１８のテーブル３０の後端縁は、本体部１７により支持されるようになっている。なお、可動部１８の天板３５には、テレビ等の物品５を固定するクランプ装置３７が取り付けられる切欠部３６が形成されており、クランプ装置３７を可動部１８の内面側に配置できるようになる（図８参照）。
【００２９】
図３及び図４に示すように、床頭装置２において、基台部１０の基部フレーム１１は、床面に設置されるアジャスタ３８を有している。そして、床面から基部フレーム１１の上端までの高さ寸法は、ワゴン装置３のキャスタ１９の上下寸法よりも高くなっている。即ち基部フレーム１１は、ワゴン装置３のキャスタ１９の乗り上げを阻止する高さ寸法を有している。なお、この基部フレーム１１は、本発明におけるワゴン移動阻止手段を構成している。
【００３０】
このようにすることで、ワゴン装置３におけるベッド４に相対する側の側面から副収納箱２１にアクセス可能な状態にして利便性を維持しつつ、ワゴン装置３を基台部１０の前面側の開口から空間部９内に自在に出し入れでき、かつ基部フレーム１１によりワゴン装置３の左右方向への移動を阻止できるようになり、地震の発生時の揺れによりワゴン装置３が左右方向に移動してベッド４や壁面等に接触して破損することを防止できる。
【００３１】
また、床頭装置２において、基台部１０の立設フレーム１２の前後寸法は、ワゴン装置３を基台部１０の空間部９内に設置したときに、ワゴン装置３の側面に接触する寸法となっている。さらに、立設フレーム１２と補強フレーム１４とにより横断平面視で略Ｌ字形状をなす角部が形成されており、この角部にワゴン装置３の背面側の角部が収まるようになっている。なお、この立設フレーム１２は、本発明におけるワゴン移動阻止手段を構成している。
【００３２】
このようにすることで、ワゴン装置３におけるベッド４に相対する側の側面から副収納箱２１にアクセス可能な状態にして利便性を維持しつつ、ワゴン装置３を基台部１０の前面側の開口から空間部９内に自在に出し入れでき、かつ立設フレーム１２によりワゴン装置３の左右方向への移動を阻止できるようになり、地震の発生時の揺れによりワゴン装置３が左右方向に移動してベッド４や壁面等に接触して破損することを防止できる。
【００３３】
このように、本実施例における床頭ユニット１にあっては、ワゴン装置３と床頭装置２の双方を設置する際に、ワゴン装置３を床頭装置２の基台部１０の前面側の開口から空間部９内に自在に出し入れでき、かつ床頭装置２の基台部１０の側面の開口からワゴン装置３の副収納箱２１の側面にアクセス可能な状態とすることができるようになり、その利便性を維持しつつ、ワゴン装置３の収納箱１６，２１と床頭装置２の床頭収納部６とが上下に配置されるため、設置場所の省スペース化を図ることができ、かつ地震の発生時にワゴン装置３の収納箱１６，２１と床頭装置２の床頭収納部６とが接触して互いの装置２，３に収納された物品が破損してしまうことを防止できる。
【実施例２】
【００３４】
次に、実施例２に係る床頭ユニット１’につき、図９及び図１０を参照して説明する。尚、前記実施例に示される構成部分と同一構成部分に付いては同一符号を付して重複する説明を省略する。以下、図９及び図１０の紙面左下側を床頭ユニットの正面側（前方側）として説明する。
【００３５】
図９及び図１０に示すように、実施例２における床頭装置２では、基台部１０の基部フレーム１１の後部側同士に掛け渡されたフレーム状をなすキャスタ移動阻止部材３９が設けられている。このキャスタ移動阻止部材３９の高さ寸法は、ワゴン装置３のキャスタ１９の上下寸法の半分の寸法よりも低くなっており、キャスタ移動阻止部材３９をワゴン装置３のキャスタ１９が乗り越えることができる。
【００３６】
そして、キャスタ移動阻止部材３９は、使用者がワゴン装置３を床頭装置２の基台部１０内に押し込んだ際に、ワゴン装置３の後部側のキャスタ１９が、キャスタ移動阻止部材３９を後方に乗り越えて配置されることで、不用意にワゴン装置３が前方向に移動されることを阻止するようになっている。なお、このキャスタ移動阻止部材３９は、本発明におけるワゴン移動阻止手段を構成している。
【００３７】
また、キャスタ移動阻止部材３９は、縦断側面視で略半形状をなしており、使用者がワゴン装置３を床頭装置２の基台部１０内に押し込んだ際に、キャスタ１９がキャスタ移動阻止部材３９を乗り越え易いようになっている。
【００３８】
このようにすることで、ワゴン装置３におけるベッド４に相対する側の側面から副収納箱２１にアクセス可能な状態にして利便性を維持しつつ、ワゴン装置３を基台部１０の前面側の開口から空間部９内に自在に出し入れでき、かつキャスタ移動阻止部材３９によりワゴン装置３の前方向への移動を阻止できるようになり、地震の発生時の揺れによりワゴン装置３が基台部１０から前方向に移動してしまうことを防止できる。
【００３９】
図９及び図１０に示すように、床頭装置２における床頭収納部６を載置する載置台１５には、その前端部の下面から下方に延びる延設板４０が設けられている。この延設板４０は、載置台１５の左右に２つ設けられ、その下部には、内方に向かって延びる円柱状をなし、ワゴン装置３の天板２５に近接する押え部材４１が配置される。
【００４０】
このようにすることで、地震が発生した際に、ワゴン装置３が前方に向かって倒れようとすると、押え部材４１によりワゴン装置３の天板２５が押えられ、ワゴン装置３が前方に向かって倒れることを防止することができる。なお、押え部材４１は、ゴム等の弾力性を有する材質で形成されている。そのため、ワゴン装置３の天板２５に押え部材４１が接触しても天板２５を傷める虞がなくなる。
【００４１】
また、ワゴン装置３の天板２５と押え部材４１との間は、若干離間されている。そのため、使用者がワゴン装置３を床頭装置２の基台部１０内に押し込んだ際に、キャスタ１９がキャスタ移動阻止部材３９を後方に乗り越えるときに、ワゴン装置３の後部が持ち上がっても、スムーズにワゴン装置３を押し込むことができるようになっている。
【００４２】
以上、本発明の実施例を図面により説明してきたが、具体的な構成はこれら実施例に限られるものではなく、本発明の要旨を逸脱しない範囲における変更や追加があっても本発明に含まれる。
【００４３】
例えば、前記実施例では、ワゴン装置３の副収納箱２１は、本体部１７の左右両側面のうち、ベッド４に相対する側の側面に取り付けられているが、ワゴン装置３の左右両側面に副収納箱２１を設けるようにしてもよい。
【符号の説明】
【００４４】
１                床頭ユニット
２                床頭装置
３                ワゴン装置
４                ベッド
５                物品
６                床頭収納部
９                空間部
１０              基台部
１１              基部フレーム（ワゴン移動阻止手段）
１２              立設フレーム（ワゴン移動阻止手段）
１９              キャスタ
２０              物品
３９              キャスタ移動阻止部材（ワゴン移動阻止手段）
４１              押え部材
【図１】
0005904631.tif 000002
【図２】
0005904631.tif 000003
【図３】
0005904631.tif 000004
【図４】
0005904631.tif 000005
【図５】
0005904631.tif 000006
【図６】
0005904631.tif 000007
【図７】
0005904631.tif 000008
【図８】
0005904631.tif 000009
【図９】
0005904631.tif 000010
【図１０】
0005904631.tif 000011